(57)【要約】【課題】戸開時に扉に手指を引き込まれるような体勢であるときに、自然に扉から離れさせることができるエレベーター出入口装置を得る。【解決手段】扉２に設置され、人が扉２に接近すると検出信号を出力する扉接近センサー３と、扉２に設置され、不透明制御信号に基づいて不透明になる、又は透明制御信号に基づいて透明になる液晶ガラス窓５と、扉接近センサー３が検出信号を出力するときには、前記不透明制御信号を液晶ガラス窓５へ送信して不透明にするとともに、前記検出信号を出力しないときには、前記透明制御信号を液晶ガラス窓５へ送信して透明にする制御装置４とを設けた。【選択図】図１
2010013215.tif 000002
【特許請求の範囲】
【請求項１】
扉に設置され、人が前記扉に接近すると検出信号を出力する扉接近センサーと、
扉に設置され、不透明制御信号に基づいて不透明になる、又は透明制御信号に基づいて透明になる液晶ガラス窓と、
前記扉接近センサーが検出信号を出力するときには、前記不透明制御信号を前記液晶ガラス窓へ送信して不透明にするとともに、前記検出信号を出力しないときには、前記透明制御信号を前記液晶ガラス窓へ送信して透明にする制御装置と
を備えたことを特徴とするエレベーター出入口装置。
【発明の詳細な説明】
【技術分野】
【０００１】
この発明は、エレベーターの戸開時に扉に手指を引き込まれるような体勢であるときに、自然に扉から離れさせるエレベーター出入口装置に関するものである。
【背景技術】
【０００２】
従来のエレベーター扉装置においては、乗りかごの扉に取り付けられたセンサーにより、人が扉に触れたことを静電容量の変化によって検出すると、扉の中に設置されたスピーカーから「ピッ、扉に手を触れないで下さい。」とアナウンス警告を発する（例えば、特許文献１参照）。大人が扉と出入口の間に手等を挟まれる恐れを回避することができるが、アナウンスの意味が理解できない小児等に対しては効果が期待できない。
【０００３】
また、従来のエレベーターの乗場出入口装置においては、乗場出入口戸と、かご内出入口戸に液晶調光式窓ガラスを取り付け、かごが乗場付近に到達すると、窓ガラスを透明にし、他の場合には窓ガラスを不透明にする（例えば、特許文献２参照）。かごが乗場付近にあるときのみ、乗場からかご内を見ることができ、他の場合には昇降路内部が見えない。
【０００４】
さらに、従来の展望用エレベーター制御装置においては、展望用カゴ内ガラス窓に液晶を使用し、例えば、呼びがない状態では、ガラス窓を不透明にする（例えば、特許文献３参照）。不透明にすることで、カゴ内の温度上昇を防ぐことができる。
【０００５】
【特許文献１】特開平６−３４５３６８号公報
【特許文献２】特開平４−２０１９７１号公報
【特許文献３】特開平１−２５６４６９号公報
【発明の開示】
【発明が解決しようとする課題】
【０００６】
上述したような従来のエレベーターでは、防犯や展望等を目的として、かご扉や、乗場扉にガラス窓が設けられている場合、小児等がガラス窓を覗き込むことがあり、このとき、同時に、かご扉、乗場扉や、出入口柱、三方枠に手を触れる体勢となり、戸開時に手指が引き込まれる恐れがあるという問題点があった。
【０００７】
この発明は、上述のような課題を解決するためになされたもので、その目的は、戸開時に扉に手指を引き込まれるような体勢であるときに、自然に扉から離れさせることができるエレベーター出入口装置を得るものである。ここで、「自然に扉から離れさせる」とは、ガラス窓を覗き込むために扉に接近した小児等が自ら扉から離れないとガラス窓の向こうが見えなくさせることである。
【課題を解決するための手段】
【０００８】
この発明に係るエレベーター出入口装置は、扉に設置され、人が前記扉に接近すると検出信号を出力する扉接近センサーと、扉に設置され、不透明制御信号に基づいて不透明になる、又は透明制御信号に基づいて透明になる液晶ガラス窓と、前記扉接近センサーが検出信号を出力するときには、前記不透明制御信号を前記液晶ガラス窓へ送信して不透明にするとともに、前記検出信号を出力しないときには、前記透明制御信号を前記液晶ガラス窓へ送信して透明にする制御装置とを設けたものである。
【発明の効果】
【０００９】
この発明に係るエレベーター出入口装置は、戸開時に扉に手指を引き込まれるような体勢であるときに、自然に扉から離れさせることができるという効果を奏する。
【発明を実施するための最良の形態】
【００１０】
実施の形態１．
この発明の実施の形態１に係るエレベーター出入口装置について図１から図４までを参照しながら説明する。図１は、この発明の実施の形態１に係るエレベーター出入口装置のかご側の出入口の正面構成を示す図である。なお、以降では、各図中、同一符号は同一又は相当部分を示す。
【００１１】
図１において、この発明の実施の形態１に係るエレベーター出入口装置のかご側の出入口には、出入口柱１と、かご扉２と、扉接近センサー３と、液晶ガラス窓５とが設けられている。また、液晶ガラス窓５を覗き込む小児等６が描かれている。なお、扉接近センサー３と、液晶ガラス窓５に信号ケーブルを通じて、制御装置（図示せず）４が接続されている。
【００１２】
図２は、この発明の実施の形態１に係るエレベーター出入口装置の乗場側の出入口の正面構成を示す図である。
【００１３】
図２において、この発明の実施の形態１に係るエレベーター出入口装置の乗場側の出入口には、三方枠７と、乗場扉８と、扉接近センサー９と、液晶ガラス窓１１とが設けられている。また、液晶ガラス窓１１を覗き込む小児等６が描かれている。なお、扉接近センサー９と、液晶ガラス窓１１に信号ケーブルを通じて、制御装置（図示せず）１０が接続されている。
【００１４】
図３は、この発明の実施の形態１に係るエレベーター出入口装置の構成を示すブロック図である。
【００１５】
図３において、この発明の実施の形態１に係るエレベーター出入口装置は、扉接近センサー３、９と、ＣＰＵ、メモリなどを含む制御装置４、１０と、液晶ガラス窓５、１１とが設けられている。
【００１６】
扉接近センサー３、９としては、公知の静電容量の変化によって検出するものや、小児等６が扉に接近していることを検出できるセンサーであれば何でもよい。また、制御装置４は、かごの外の上部に設けられたり、制御装置１０は、三方枠７の内部に設けられたりしている。さらに、液晶ガラス窓５、１１は、電気信号に応じて透明／不透明に切り替え制御される。つまり、透明／不透明制御信号により、液晶ガラス窓５、１１を透明／不透明に切り替え制御する。
【００１７】
つぎに、この発明の実施の形態１に係るエレベーター出入口装置の動作について図面を参照しながら説明する。
【００１８】
図４は、この発明の実施の形態１に係るエレベーター出入口装置の動作を示すフローチャートである。
【００１９】
図１に示すように、小児等６がかご扉２の液晶ガラス窓５を覗き込むと、小児等６の手指が、かご扉２及び出入口柱１に触れる体勢となり、かご扉２が開くときに、手指を引き込まれる可能性がある。
【００２０】
同様に、図２に示すように、小児等６が乗場扉８の液晶ガラス窓１１を覗き込むと、小児等６の手指が、乗場扉８及び三方枠７に触れる体勢となり、乗場扉８が開くときに、手指を引き込まれる可能性がある。
【００２１】
手指が引き込まれることを防止する方法として、前述したように、戸開前に「ドアから離れて下さい」とアナウンス警告するものがあるが、アナウンスの意味が理解できない小児等６に対しては効果が期待できない。
【００２２】
小児等６がかご扉２の液晶ガラス窓５を覗き込むのは、液晶ガラス窓５を通してかごの外の景色が見えることに興味を持つためであり、液晶ガラス窓５が不透明であれば何も見えず、液晶ガラス窓５を覗き込むこともない。
【００２３】
同様に、小児等６が乗場扉８の液晶ガラス窓１１を覗き込むのは、液晶ガラス窓１１を通して昇降路内の景色が見えることに興味を持つためであり、液晶ガラス窓１１が不透明であれば何も見えず、液晶ガラス窓１１を覗き込むこともない。
【００２４】
ステップ１０１において、制御装置４、１０は、例えば、０．１秒間隔の一定周期で、扉接近センサー３、９が小児等６を検出したか否かを判断する。検出した場合には、次のステップ１０２へ進み、検出しない場合には、ステップ１０３へ進む。
【００２５】
次に、ステップ１０２において、制御装置４、１０は、不透明制御信号を送信して、液晶ガラス窓５、１１を不透明にする。その後、ステップ１０１へ戻る。
【００２６】
ステップ１０３において、制御装置４、１０は、透明制御信号を送信して、液晶ガラス窓５、１１を透明にする。その後、ステップ１０１へ戻る。
【００２７】
この実施の形態１によれば、液晶ガラス窓５、１１に近付くと外が見えなくなり、液晶ガラス窓５、１１から離れると外が見えることから、小児等６が液晶ガラス窓５、１１に近付かなくなる。これにより、かご扉２、乗場扉８や、出入口柱１、三方枠７に手を触れたまま液晶ガラス窓５、１１を覗き込んでいて、かご扉２、乗場扉８に手指を引き込まれる恐れを防止できる。
【００２８】
また、液晶ガラス窓５、１１に近付かなければ、液晶ガラス窓５、１１は透明であり、意匠、デザインを阻害することもなく、さらに、液晶ガラス窓５、１１を通しての展望を阻害することもない。
【００２９】
なお、扉接近センサー３、９の検出時、さらに扉の中に設置されたスピーカーからアナウンス警告をすれば、さらに効果が期待できる。
【図面の簡単な説明】
【００３０】
【図１】この発明の実施の形態１に係るエレベーター出入口装置のかご側の出入口の正面構成を示す図である。
【図２】この発明の実施の形態１に係るエレベーター出入口装置の乗場側の出入口の正面構成を示す図である。
【図３】この発明の実施の形態１に係るエレベーター出入口装置の構成を示すブロック図である。
【図４】この発明の実施の形態１に係るエレベーター出入口装置の動作を示すフローチャートである。
【符号の説明】
【００３１】
１  出入口柱、２  かご扉、３  扉接近センサー、４  制御装置、５  液晶ガラス窓、７  三方枠、８  乗場扉、９  扉接近センサー、１０  制御装置、１１  液晶ガラス窓。
【図１】
2010013215.tif 000003
【図２】
2010013215.tif 000004
【図３】
2010013215.tif 000005
【図４】
2010013215.tif 000006